(57)【要約】【課題】複数の機器が資源を有効に使用できるようにする。【解決手段】ワイヤレスＡＶステーション１０１は、放送番組データの処理を行うチューナなどに相当する資源Ａを有する。資源制御部３２は、資源Ａに対する使用要求（放送番組データの送信要求、録画要求、チャネル切替要求など）があるか否かを監視する。資源Ａを使用する要求があった場合、資源制御部３２は、時間帯毎に資源Ａの使用を拒否もしくは許可すべき機器もしくはユーザを定義した調停管理タイムテーブルを参照することにより、当該要求を受け入れるか否かを決定する。【選択図】    図４
2004274159.tif 000002
【特許請求の範囲】
【請求項１】
少なくとも１つの資源と、
個々の機器から前記資源を使用する要求があるか否かを監視する監視手段と、前記資源を使用する要求があった場合、時間帯毎に前記資源の使用を拒否もしくは許可すべき機器もしくはユーザを定義した情報を参照することにより、当該要求を受け入れるか否かを決定する調停処理手段とを具備することを特徴とする情報機器。
【請求項２】
前記資源は、放送番組データの受信処理を行うチューナを含むことを特徴とする請求項１記載の情報機器。
【請求項３】
前記調停処理手段は、放送番組データの録画の時間帯を示す情報を更に参照することにより、前記要求を受け入れるか否かを決定することを特徴とする請求項２記載の情報機器。
【請求項４】
前記調停処理手段は、要求された使用時間帯が前記録画の時間帯に該当する場合には、当該要求を拒否することを決定することを特徴とする請求項３記載の情報機器。
【請求項５】
前記要求を受け入れないと決定した場合に、その旨を要求元へ通知する手段を更に具備することを特徴とする請求項１記載の情報機器。
【請求項６】
前記資源を使用する要求があった場合、その要求を行ったユーザが正当な者であるか否かの認証を行う認証処理手段を更に具備することを特徴とする請求項１記載の情報機器。
【請求項７】
少なくとも１つの資源を備えた情報機器に適用される資源制御方法であって、
個々の機器から前記資源を使用する要求があるか否かを監視し、
前記資源を使用する要求があった場合、時間帯毎に前記資源の使用を拒否もしくは許可すべき機器もしくはユーザを定義した情報を参照することにより、当該要求を受け入れるか否かを決定することを特徴とする資源制御方法。
【請求項８】
前記資源は、放送番組データの受信処理を行うチューナを含むことを特徴とする請求項７記載の資源制御方法。
【請求項９】
放送番組データの録画の時間帯を示す情報を更に参照することにより、前記要求を受け入れるか否かを決定することを特徴とする請求項８記載の資源制御方法。
【請求項１０】
要求された使用時間帯が前記録画の時間帯に該当する場合には、当該要求を拒否することを決定することを特徴とする請求項９記載の資源制御方法。
【請求項１１】
前記要求を受け入れないと決定した場合には、その旨を要求元へ通知することを特徴とする請求項７記載の資源制御方法。
【請求項１２】
前記資源を使用する要求があった場合、その要求を行ったユーザが正当な者であるか否かの認証を行うことを特徴とする請求項７記載の資源制御方法。
【発明の詳細な説明】
【０００１】
【発明の属する技術分野】
本発明は、家庭などで使用される機器を制御することが可能な情報機器及び資源制御方法に関する。
【０００２】
【従来の技術】
家庭などでは、テレビ等の放送番組データを録画／再生する録画再生装置がよく使用されている。最近では、そのような録画／再生機能を備えると共に、当該テレビ等の放送番組データの受信処理やエンコード処理／デコード処理などを実行するチューナを内蔵した情報機器が登場してきている。
【０００３】
このような情報機器に内蔵されるチューナは、当該情報機器に付属されるリモコンや当該情報機器に接続されるネットワーク（ＬＡＮ等）上のコンピュータなどの各種の機器から使用を要求される資源と見ることができる。
【０００４】
各種の機器が資源を使用する形態のシステム構成には、種々なものがある。例えば、特許文献１には、５台の再生装置と５台の記録装置（資源）とを設け、複数のセレクタを有する再生記録選択装置により再生装置と記録装置との間の接続経路を選択できるようにしたシステムが開示されている。
【０００５】
【特許文献１】
特開２００２−１００１１１号公報
【０００６】
【発明が解決しようとする課題】
上述した特許文献１のようなシステム構成では、資源の使用を要求する５台の再生装置に対して５台もの資源を設けているため、多大な費用がかかるだけでなく、資源を設置するためのスペースが増大するという問題がある。
【０００７】
本発明は上記実情に鑑みてなされたものであり、複数の機器が資源を有効に使用することのできる情報機器及び資源制御方法を提供することを目的とする。
【０００８】
【課題を解決するための手段】
本発明に係る情報機器は、少なくとも１つの資源と、個々の機器から前記資源を使用する要求があるか否かを監視する監視手段と、前記資源を使用する要求があった場合、時間帯毎に前記資源の使用を拒否もしくは許可すべき機器もしくはユーザを定義した情報を参照することにより、当該要求を受け入れるか否かを決定する調停処理手段とを具備することを特徴とする。
【０００９】
また、本発明に係る資源制御方法は、少なくとも１つの資源を備えた情報機器に適用される資源制御方法であって、個々の機器から前記資源を使用する要求があるか否かを監視し、前記資源を使用する要求があった場合、時間帯毎に前記資源の使用を拒否もしくは許可すべき機器もしくはユーザを定義した情報を参照することにより、当該要求を受け入れるか否かを決定することを特徴とする。
【００１０】
【発明の実施の形態】
以下、図面を参照して本発明の実施形態を説明する。
図１には、本発明の一実施形態に係る情報処理装置を用いたホームネットワークシステムの構成が示されている。
【００１１】
このホームネットワークシステムは、ワイヤレスＡＶ（オーディオ・ビデオ）ステーション１０１、ＴＶ受像機１０２、およびノートブックタイプのパーソナルコンピュータ１０３，１０４、デスクトップタイプのパーソナルコンピュータ１０５、等から構成されている。
【００１２】
ワイヤレスＡＶステーション１０１はホームネットワークサーバとして機能する装置である。このワイヤレスＡＶステーション１０１は、ＴＶ等の放送番組データの視聴、およびインターネット閲覧等に関するサービスを、家庭内の無線または有線のネットワークを介してパーソナルコンピュータ１０３〜１０５などの各情報処理装置に提供する。
【００１３】
ワイヤレスＡＶステーション１０１は、例えばＩＳＤＮ（Ｉｎｔｅｇｒａｔｅｄ  Ｓｅｒｖｉｃｅｓ  Ｄｉｇｉｔａｌ  Ｎｅｔｗｏｒｋ）、ＡＤＳＬ（Ａｓｙｍｍｅｔｒｉｃ  Ｄｉｇｉｔａｌ  Ｓｕｂｓｃｒｉｂｅｒ  Ｌｉｎｅ）、ＣＡＴＶ（Ｃａｂｌｅ  ＴＶ）などの通信回線１３を介して、インターネット１２などの外部のグローバルネットワーク（外部ネットワーク）に接続されている。さらに、ワイヤレスＡＶステーション１０１は、ホームネットワークを構成する有線または無線のネットワークを介して、家庭内の各種情報処理装置に接続されている。
【００１４】
パーソナルコンピュータ１０３〜１０５の各々は、ワイヤレスＡＶステーション１０１のクライアントとして機能する情報処理装置である。ノートブックタイプのパーソナルコンピュータ１０３，１０４には無線通信デバイスが設けられており、これらノートブックタイプのパーソナルコンピュータ１０３，１０４の各々はワイヤレスＡＶステーション１０１に無線接続することができる。またデスクトップタイプのパーソナルコンピュータ１０５は有線ＬＡＮを介してワイヤレスＡＶステーション１０１に接続されている。
【００１５】
ワイヤレスＡＶステーション１０１は、パーソナルコンピュータ１０３〜１０５それぞれをインターネット１２に接続し、そしてインターネット１２上のＷｅｂサイトとパーソナルコンピュータ１０３〜１０５それぞれとの間のデータの送受信を行う。
【００１６】
屋外に設置されたＴＶ放送受信アンテナ１１に接続されたアンテナケーブルは屋内に引き込まれている。そのアンテナケーブルにはＴＶ受像機１０２とワイヤレスＡＶステーション１０１とが接続されている。放送局から送信される放送番組データはＴＶ受像機１０２にて受信および再生できる他、ワイヤレスＡＶステーション１０１でも受信することが出来る。ワイヤレスＡＶステーション１０１は、受信した放送番組データを、無線ＬＡＮを介してノートブックタイプのパーソナルコンピュータ１０３，１０４に無線で送信する。またワイヤレスＡＶステーション１０１は、受信した放送番組データを、有線ＬＡＮを介してデスクトップタイプのパーソナルコンピュータ１０５に送信する。
【００１７】
ワイヤレスＡＶステーション１０１によって提供される主な機能は次の通りである。
【００１８】
・無線ルータ機能：
無線ルータ機能は、無線ＬＡＮを介してワイヤレスＡＶステーション１０１と通信可能な各情報処理装置を、ワイヤレスでインターネット１２に接続し、インターネット１２上のＷｅｂサイトと各情報処理装置との間のデータの送受信を行う機能である。ユーザは、無線ＬＡＮを介してワイヤレスＡＶステーション１０１と接続可能なノートブックタイプのパーソナルコンピュータ１０３または１０４を使用することにより、家庭内のどこからでもワイヤレスでインターネット閲覧を行うことができる。
【００１９】
・ＴＶ機能：
ＴＶ機能は、無線ＬＡＮまたは有線ＬＡＮを介してワイヤレスＡＶステーション１０１に接続された各情報処理装置に対して、ワイヤレスＡＶステーション１０１で受信された放送番組データを送信する機能である。ユーザは、ノートブックタイプのパーソナルコンピュータ１０３または１０４を用いることにより、家庭内のどこからでも現在放送中の放送番組データ（ライブ映像）を視聴することができる。
【００２０】
・ＴＶ録画機能：
ワイヤレスＡＶステーション１０１には、放送番組データを記録するための大容量ストレージデバイスとして磁気ディスクドライブ装置（ハードディスクドライブ；ＨＤＤ）が内蔵されている。ワイヤレスＡＶステーション１０１は、例えば現在放送中の放送番組データを情報処理装置にワイヤレスで送信しながら、その放送番組データを磁気ディスクドライブ装置にファイルとして記録することができる。また、ワイヤレスＡＶステーション１０１は、磁気ディスクドライブ装置に既に記録されている放送番組データを情報処理装置にワイヤレスで送信しながら、現在放送中の別の放送番組データを受信してそれを磁気ディスクドライブ装置に記録することもできる。さらに、ワイヤレスＡＶステーション１０１は、磁気ディスクドライブ装置に記録された放送番組データをＴＶ受像機１０２に出力することもできる。
【００２１】
・コンテンツサーバ機能
ワイヤレスＡＶステーション１０１は、各情報処理装置からのデータ取得要求に応じて、磁気ディスクドライブ装置にファイルとして記録された放送番組データ等の各種コンテンツを要求元の情報処理装置に送信することができる。
【００２２】
・遠隔制御機能：
ワイヤレスＡＶステーション１０１のＴＶ機能・ＴＶ録画機能等は、パーソナルコンピュータ１０３〜１０５のそれぞれから遠隔制御することが出来る。またワイヤレスＡＶステーション１０１を操作するための専用のリモコンユニットを用いて、ワイヤレスＡＶステーション１０１のＴＶ機能・ＴＶ録画機能等を制御することも出来る。さらに、携帯電話やパーソナルコンピュータからインターネットを通じてワイヤレスＡＶステーション１０１を遠隔制御することもできる。
【００２３】
・資源制御機能：
ワイヤレスＡＶステーション１０１は、個々の機器（パーソナルコンピュータ１０３〜１０５、リモコンユニット２００など）から資源（例えば、ＴＶチューナ）を使用する要求（放送番組データの送信要求、録画要求、チャネル切替要求など）があるか否かを監視し、使用要求する個々の機器の資源に対する使用権の調停を行うことが出来る。なお、予め録画予約された放送番組データが存在する場合、上記調停は、予約された時間帯において録画処理に支障をきたすことのないように行われる。
【００２４】
次に、図２を参照して、ワイヤレスＡＶステーション１０１の構成を説明する。
【００２５】
図２に示されているように、ワイヤレスＡＶステーション１０１は、大別して３つコンポーネント、すなわち、チューナ／ＭＰＥＧ部２１、ＣＰＵ部３１、および通信部４１の３つコンポーネントから構成されている。
【００２６】
これらチューナ／ＭＰＥＧ部２１、ＣＰＵ部３１、および通信部４１は、ＰＣＩバスなどのバス２０にそれぞれ接続されている。さらに、バス２０には、磁気ディスクドライブ装置（ハードディスクドライブ；ＨＤＤ）５１も接続されている。
【００２７】
チューナ／ＭＰＥＧ部２１は、放送番組データの受信処理（チャネル選択処理を含む）、およびその受信した放送番組データを圧縮符号化するエンコード処理、さらには圧縮符号化されたＴＶ放送番組データを復号するデコード処理などを実行する。このチューナ／ＭＰＥＧ部２１には、図示のように、ＴＶチューナ２１１、ＮＴＳＣ（Ｎａｔｉｏｎａｌ  ＴＶ  Ｓｔａｎｄａｒｄｓ  Ｃｏｍｍｉｔｔｅｅ）デコーダ２１２、音声多重デコーダ２１３、オーディオＡ／Ｄコンバータ（オーディオＡＤＣ）２１４、ＭＰＥＧ２エンコーダ２１５、ＲＡＭ２１６、ＰＣＩバスインターフェース（ＰＣＩ−ＩＦ）２１７、ＭＰＥＧ２デコーダ２１８、ＲＡＭ２１９、オーディオＤ／Ａコンバータ（オーディオＤＡＣ）２２０などが設けられている。
【００２８】
ＴＶチューナ２１１はＴＶアンテナコネクタ３０１を介してＴＶアンテナケーブルに接続されている。ＴＶチューナ２１１は、パーソナルコンピュータ１０３〜１０５またはリモコンユニット２００から視聴要求されたチャネルの放送番組データを受信するデバイスであり、視聴要求に基づいて、ＴＶ放送信号の受信及びチャネル選択を行う。ＴＶチューナ２１１によって受信された、あるチャネルのＴＶ放送番組データは、ＮＴＳＣデコーダ２１２に送られ、そこでビデオ信号（動画像）とオーディオ信号とに分離され、さらに必要に応じてデジタルデータへの変換処理が施される。
【００２９】
ＮＴＳＣデコーダ２１２はビデオ入力端子３０２にも接続されており、例えばＤＶＤ（Ｄｉｇｉｔａｌ  Ｖｅｒｓａｔｉｌｅ  Ｄｉｓｃ）プレイヤやＶＣＲ（Ｖｉｄｅｏ  ｃａｓｓｅｔｔｅ  Ｒｅｃｏｒｄｅｒ）などの、外部のビデオ機器からビデオ信号を入力することも出来る。ＴＶ放送番組データに重畳されている音声多重信号は音声多重デコーダ２１３で復調された後、オーディオＡ／Ｄコンバータ（オーディオＡＤＣ）２１４に送られ、そこでデジタルデータに変換される。オーディオＡ／Ｄコンバータ（オーディオＡＤＣ）２１４はオーディオ入力端子３０３にも接続されており、外部のビデオ・オーディオ機器からオーディオ信号を入力することも出来る。
【００３０】
ＭＰＥＧ２エンコーダ２１５は、入力されたビデオデータおよびオーディオデータをそれぞれ圧縮符号化するためのエンコード処理を実行する。このエンコード処理は、ＭＰＥＧ２の規格に従って実行される。ＲＡＭ２１６は、ＭＰＥＧ２エンコーダ２１５がエンコード処理を行うための作業メモリとして用いられる。
ＴＶチューナ２１１によって受信された放送番組データはＭＰＥＧ２エンコーダ２１５によってエンコードされ、これによってＭＰＥＧ２ストリームに変換される。
【００３１】
ＰＣＩバスインターフェース（ＰＣＩ−ＩＦ）２１７はチューナ／ＭＰＥＧ部２１をバス２０に接続するインターフェースであり、チューナ／ＭＰＥＧ部２１がバス２０を介してＣＰＵ部３１およびＨＤＤ５１それぞれとの通信を行うために用いられる。ＰＣＩバスインターフェース（ＰＣＩ−ＩＦ）２１７には、ＣＰＵ部３１がアクセス可能なレジスタ群が内蔵されており、ＴＶチューナ２１１およびＭＰＥＧ２エンコーダ２１５それぞれの動作は、ＣＰＵ部３１によってＰＣＩバスインターフェース（ＰＣＩ−ＩＦ）２１７のレジスタ群にセットされるコマンドに応じて制御される。
【００３２】
ＭＰＥＧ２デコーダ２１８は、ＭＰＥＧ２形式にエンコードされた放送番組データをデコードする。例えば、ＨＤＤ５１に記録されているエンコードされた放送番組データをＴＶ受像機１０２で再生する場合には、ＨＤＤ５１から読み出された、エンコードされたＴＶ放送番組データがＰＣＩバスインターフェース２１７を介してＭＰＥＧ２デコーダ２１８に送られ、そこでデコード（伸張）される。ＲＡＭ２１９は、ＭＰＥＧ２デコーダ２１８がデコード処理を行うための作業メモリとして用いられる。このＭＰＥＧ２デコーダ２１８の動作も、ＣＰＵ部３１がＰＣＩバスインターフェース２１７内のレジスタ群にセットするコマンドによって制御される。
【００３３】
ＭＰＥＧ２デコーダ２１８によってデコードされたビデオデータはビデオ出力端子３０５を介してＴＶ受像機１０２などに送られ、またＭＰＥＧ２デコーダ２１８によってデコードされたオーディオデータは、必要に応じてオーディオＤ／Ａコンバータ（オーディオＤＡＣ）２２０にてアナログ信号に変換された後に、オーディオ出力端子３０４から外部のオーディオ／ビデオ機器に出力される。
【００３４】
さらに、本実施形態においては、ＭＰＥＧ２デコーダ２１８によってデコードされた放送番組データをＭＰＥＧ２エンコーダ２１５に再び入力し、そこで再度エンコード処理を行うことも出来る。これは、ＨＤＤ５１に記録されているエンコードされた放送番組データの伝送レート（ビットレート）を、例えば無線ＬＡＮ等の帯域に対応する特定の伝送レートに変換するダウンコンバート処理のために用いられる。
【００３５】
すなわち、ＨＤＤ５１に記録すべき放送番組データの画質（低画質、標準画質、高画質）に応じて、ＭＰＥＧ２エンコーダ２１５によるエンコード処理で得られるエンコードされた放送番組データ（ＭＰＥＧ２ストリーム）の伝送レート（ビットレート）は異なる。高画質を選択した場合には、ＨＤＤ５１には非常に高い伝送レートを持つ、放送番組データのＭＰＥＧ２ストリームが記録されることになる。この場合、無線通信の帯域では当該放送番組データのＭＰＥＧ２ストリームをリアルタイム送信することが出来ない場合もある。このような場合には、無線送信すべき放送番組データのＭＰＥＧ２ストリームの伝送レートを、無線送信用の特定の伝送レートに低下させるためのダウンコンバート処理が実行される。
【００３６】
ＣＰＵ部３１は、チューナ／ＭＰＥＧ部２１のＴＶチューナ２１１、ＭＰＥＧ２エンコーダ２１５、およびＭＰＥＧ２デコーダ２１８の制御を行うとともに、ＨＤＤ５１へのデータの書き込みおよびＨＤＤ５１からのデータ読み出しの制御を行う。また、ＣＰＵ部３１は、通信部４１との通信によって、パーソナルコンピュータ１０３〜１０５から送信されるＴＶ視聴に関するコマンドを受信したり、パーソナルコンピュータ１０３〜１０５に送信すべき放送番組データのＭＰＥＧ２ストリームを通信部４１に送信する。ＣＰＵ部３１は、ＣＰＵ３１１と、ＣＰＵ３１１のＣＰＵバスとＰＣＩバス２０とを接続するノースブリッジ３１２と、主メモリ３１３とから構成されている。主メモリ３１３上には例えば資源制御プログラムが常駐しており、ＣＰＵ部３１はこの資源制御プログラムを実行することにより前述の資源制御機能を実現する。
【００３７】
通信部４１は、それ単独で無線ＬＡＮルータとして動作可能な通信制御装置である。通信部４１は、パーソナルコンピュータ１０３，１０４に無線接続可能に構成されており、また有線ＬＡＮを介してパーソナルコンピュータ１０５にも接続されている。通信部４１は、パーソナルコンピュータ１０３〜１０５の各々から送信される要求に応じて、それらパーソナルコンピュータ１０３〜１０５それぞれをインターネット１２に接続し、そしてパーソナルコンピュータ１０３〜１０５それぞれとインターネット１２との間のデータの送受信を行う。この場合、パーソナルコンピュータ１０３〜１０５それぞれとインターネット１２との間のデータの送受信に関する処理は全て通信部４１内で行われ、ＣＰＵ部３１は使用されない。
【００３８】
通信部４１には、図示のように、制御プロセッサ４１１、ＲＡＭ４１２、ＲＯＭ４１３、ネットワークコントローラ４１４、２つのワイヤレスＬＡＮデバイス４１５，４１７、ＷＡＮコネクタ５０１、およびＬＡＮコネクタ５０２などが設けられている。
【００３９】
ＷＡＮ（Ｗｉｄｅ  Ａｒｅａ  Ｎｅｔｗｏｒｋ）コネクタ５０１はインターネット１２との間のデータの送受信に用いられるブロードバンド用端子であり、コネクタ５０１は例えばモデム等を介して通信回線１３に接続される。ＬＡＮコネクタ５０２は家庭内の有線ＬＡＮに接続される。
【００４０】
ネットワークコントローラ４１４は、ＷＡＮコネクタ５０１を介したインターネット１２との間のデータの送受信、およびＬＡＮコネクタ５０２を介した家庭内有線ＬＡＮとの間のデータの送受信、を制御するネットワーク制御デバイスである。ワイヤレスＬＡＮデバイス４１５，４１７の各々は、無線ＬＡＮを介してパーソナルコンピュータ１０３，１０４との間のデータの送受信を行う無線通信デバイスであり、対応するアンテナ４１６，４１７を介してパーソナルコンピュータ１０３，１０４それぞれと無線通信する。ワイヤレスＬＡＮデバイス４１５はＩＥＥＥ８０２．１１ｂ規格に準拠した無線通信を実行するように構成されており、またワイヤレスＬＡＮデバイス４１７はＩＥＥＥ８０２．１１ａ規格に準拠した無線通信を実行するように構成されている。２つのワイヤレスＬＡＮデバイス４１５，４１７を備えることにより、ＩＥＥＥ８０２．１１ｂとＩＥＥＥ８０２．１１ａのどちらの規格でも無線通信を行うことが出来る。無線通信に使用されるワイヤレスＬＡＮデバイスは、ワイヤレスＡＶステーション１０１に無線接続されるクライアントがサポートする無線通信規格に応じてシームレスに切り替えられる。
【００４１】
制御プロセッサ４１１は、ネットワークコントローラ４１４およびワイヤレスＬＡＮデバイス４１５，４１７を制御することにより、パーソナルコンピュータ１０３〜１０５それぞれとインターネット１２との間のデータの送受信を制御する。具体的には、制御プロセッサ４１１には通信部４１を無線ルータとして動作させるために必要な機能として、ＩＰマスカレード（ＩＰ  ｍａｓｑｕｅｒａｄｅ）機能、ＮＡＴ（Ｎｅｔｗｏｒｋ  Ａｄｄｒｅｓｓ  Ｔｒａｎｓｌａｔｉｏｎ）機能、ＤＨＣＰ（Ｄｙｎａｍｉｃ  Ｈｏｓｔ  Ｃｏｎｆｉｇｕｒａｔｉｏｎ  Ｐｒｏｔｏｃｏｌ）機能等が含まれている。さらに、制御プロセッサ４１１はＰＣＩバス２０にも接続されており、ワイヤレスＬＡＮデバイス４１５または４１７を介してパーソナルコンピュータ１０３，１０４から受信したＴＶ視聴に関する要求（コマンド）などをＰＣＩバス２０を介してＣＰＵ３１１に通知したり、ネットワークコントローラ４１４を介して有線ＬＡＮ上のパーソナルコンピュータ１０５から受信したＴＶ視聴に関する要求（コマンド）などをＰＣＩバス２０を介してＣＰＵ３１１に通知する機能を有している。
【００４２】
さらに、制御プロセッサ４１１は、ＰＣＩバス２０を介してＣＰＵ３１１から転送される放送番組データを受信した場合には、その放送番組データをワイヤレスＬＡＮデバイス４１５，４１７またはネットワークコントローラ４１４を介して要求元のパーソナルコンピュータに送信する機能を有している。この場合、要求元のパーソナルコンピュータへの放送番組データの送信処理は、そのパーソナルコンピュータとインターネット１２との間のデータの送受信と並行して行われる。
【００４３】
例えば、通信部４１と無線接続可能なパーソナルコンピュータ１０３がワイヤレスでインターネット閲覧を行っているときに、そのパーソナルコンピュータ１０３から要求された放送番組データをパーソナルコンピュータ１０３に無線で送信する場合においては、制御プロセッサ４１１は、インターネット１２上のＷｅｂサーバから受けたＷｅｂコンテンツデータと、チューナ／ＭＰＥＧ部２１によってエンコードされた放送番組データとが無線通信によって時分割でパーソナルコンピュータ１０３に送信されるように、ワイヤレスＬＡＮデバイス４１５または４１７を制御する。具体的には、制御プロセッサ４１１では、Ｗｅｂコンテンツデータとエンコードされた放送番組データとを多重化する処理が行われ、多重化されたＷｅｂコンテンツデータと放送番組データとが無線通信によって時分割でパーソナルコンピュータ１０３に送信される。このように、Ｗｅｂコンテンツデータと放送番組データとを互いに独立したデータとしてパーソナルコンピュータ１０３に送ることにより、パーソナルコンピュータ１０３では、それらＷｅｂコンテンツデータおよび放送番組データをそれぞれ対応するアプリケーションプログラムを用いて同時に表示することができ、またＷｅｂコンテンツデータおよび放送番組データそれぞれのウインドウの表示位置および表示サイズもそれぞれ対応するアプリケーションプログラムによって自由に変更することが出来る。
【００４４】
以上の制御プロセッサ４１１の機能はＲＯＭ４１３に格納されたファームウェアによって実現されている。
【００４５】
さらに、ワイヤレスＡＶステーション１０１には、表示コントローラ７０９、表示パネル（ＤＳＰ）７１０、Ｉ／Ｏコントローラ６２、およびリモコンインタフェース６３などが設けられている。
【００４６】
表示コントローラ７０９は、ＣＰＵ３１１の指示に従って各種の情報を表示パネル７１０の画面上に表示させるものである。表示パネル７１０は、表示コントローラ７０９により制御され、情報を表示出力するものである。
【００４７】
Ｉ／Ｏコントローラ６２およびリモコンインタフェース６３は、リモコンユニット２００から赤外線信号等によって送信されるリモコンコードを受信するために用いられる。受信されたリモコンコードは、バス２０を介してＣＰＵ部３１に送られる。
【００４８】
ＨＤＤ５１は、放送番組データ、静止画データ、オーディオデータ等のさまざまなコンテンツを記録するために用いられる。ＣＰＵ３１１は、ＨＤＤ５１に記録されたコンテンツをコンテンツデータベースとして管理する。コンテンツデータベースには、ＨＤＤ５１に記録されたコンテンツデータ毎に、例えば番組タイトル名、チャネル番号、曲名、ジャンル、アーティスト名等の付帯情報が記憶されている。ＣＰＵ３１１は、情報処理装置またはリモコンユニット２００から送信されるコマンドに応じて、コンテンツデータベースの内容をＴＶ受像機１０２の画面上または情報処理装置にコンテンツ一覧メニューとして提供する。ユーザは、コンテンツ一覧メニューを参照しながら希望するコンテンツデータを選択することが出来る。
【００４９】
次に、図３を参照して、クライアントとして機能する各情報処理装置の構成を説明する。ここでは、ノードブックタイプのパーソナルコンピュータ１０３を例示して説明する。
【００５０】
図３に示されているように、パーソナルコンピュータ１０３には、ＰＣＩバス７１、ＩＳＡバス７２、ＣＰＵ８１、ホストブリッジ８２、主メモリ８３、表示コントローラ８４、サウンドコントローラ８５、ＬＡＮコントローラ８６、ワイヤレスＬＡＮデバイス８７、システムコントローラ８８、キーボードコントローラ（ＫＢＣ）８９、ディスプレイモニタ（ＤＳＰ）９０、ＣＤ／ＤＶＤドライブ９１、ＨＤＤ９２、キーボード（ＫＢ）９３、マウス９４、およびＬＡＮコネクタ９５などが設けられている。
【００５１】
ＣＰＵ８１はパーソナルコンピュータ１０３の動作を制御するプロセッサであり、主メモリ８３にロードされるオペレーティングシステム（ＯＳ）、Ｗｅｂブラウザ、およびＡＶ再生制御プログラム等の各種プログラムを実行する。ＡＶ再生制御プログラムは、オーディオ・ビデオデータ（ＡＶデータ）の再生を行うためのアプリケーションプログラムであり、ワイヤレスＡＶステーション１０１を遠隔制御するための機能、ワイヤレスＡＶステーション１０１から送信されるＴＶ放送番組や音楽データなどのＡＶデータを再生する機能、およびワイヤレスＡＶステーション１０１からＴＶ放送番組や音楽データなどのＡＶデータをファイルとしてダウンロードする機能を有する。また、ＡＶ再生制御プログラムは、ＣＤ／ＤＶＤドライブ９１によって再生されるＣＤ／ＤＶＤの記録メディアに記録されたＡＶデータを再生することも出来る。
【００５２】
表示コントローラ８４はパーソナルコンピュータ１０３のディスプレイモニタ９０を制御するデバイスである。サウンドコントローラ８５は、オーディオデータに対応する音を出力するための音源として使用される。
【００５３】
ＬＡＮコントローラ８６は、有線ＬＡＮを介してワイヤレスＡＶステーション１０１との通信を実行するためのデバイスである。ＬＡＮコネクタ９５が有線ＬＡＮに接続されている場合には、ＣＰＵ８１は、ワイヤレスＡＶステーション１０１との通信をＬＡＮコントローラ８６を介して実行する。
【００５４】
ワイヤレスＬＡＮデバイス８７は、無線ＬＡＮを介してワイヤレスＡＶステーション１０１とのデータの送受信を行う無線通信デバイスであり、アンテナ９６を介してワイヤレスＡＶステーション１０１と無線通信する。ワイヤレスＬＡＮデバイス８７はＩＥＥＥ８０２．１１ｂまたはＩＥＥＥ８０２．１１ａ規格に準拠した無線通信を実行するように構成されている。
【００５５】
図４は、ワイヤレスＡＶステーション１０１による資源制御を実現する第１の構成（対象となる資源が１つの場合）を示している。
【００５６】
ワイヤレスＡＶステーション１０１は、図２のＴＶチューナ２１１に相当する資源Ａを有する。資源Ａの使用を要求できる機器としては、ワイヤレスＡＶステーション１０１に接続されるネットワーク上に存在する複数の端末機器１，２，…がある。これら端末機器１，２，…は、図１中のパーソナルコンピュータ１０３，１０４，…に相当するものである。また、資源Ａに対する使用要求が可能な機器として、ワイヤレスＡＶステーション１０１に付属される入力装置１０がある。この入力装置１０は、図２中のリモコンユニット２００に相当するものである。
【００５７】
ワイヤレスＡＶステーション１０１には、資源制御部３２が備えられる。この資源制御部３２は、前述した主メモリ３１３（図２）上の資源制御プログラムに相当するものである。資源制御部３２は、図６に示されるように、時間監視部３２１、要求監視部３２２、認証処理部３２３、調停処理部３２４、通知処理部３２５といった各種の機能や、調停管理タイムテーブル３２６、録画予約タイムテーブル３２７といった各種の参照テーブルを含む。
【００５８】
調停管理タイムテーブル３２６には、時間帯毎に、資源の使用を拒否もしくは許可すべき機器もしくはユーザを定義した情報が記述されている（図７参照）。これに関しては、後でも述べる。
【００５９】
録画予約タイムテーブル３２７には、各ユーザが録画予約した内容（日時、時間帯、チャネル、ユーザＩＤなど）が記述されている（図８参照）。
【００６０】
時間監視部３２１は、現在の時刻が調停管理タイムテーブル３２６における時間帯の切替り時点になったか否かを監視し、切替り時点になったときに調停処理部３２４へ制御を渡す。
【００６１】
要求監視部３２２は、資源の使用要求（放送番組データの送信要求、録画要求、チャネル切替要求など）があるか否かを監視し、使用要求があったときに調停処理部３２４へ制御を渡す。
【００６２】
認証処理部３２３は、資源を使用する要求があった場合、その要求を行ったユーザが正当な者であるか否かの認証を行う。この場合、例えば図９のようなユーザ認証画面を該当する機器の表示部に表示させ、ユーザ名やパスワードなどの入力を促す。また、調停管理タイムテーブル３２６上の情報の書き替えを要求するユーザに対しても、同様な認証処理を行う。
【００６３】
調停処理部３２４は、要求監視部３２２により資源の使用要求があったことが検出されたとき、および、時間監視部３２１により現在の時刻が調停管理タイムテーブル３２６における時間帯の切替り時点になったことが検出されたときに、資源の使用権に関する調停を実行する。
【００６４】
例えば、資源の使用要求があった場合、調停処理部３２４は、要求された使用時間帯及び機器ＩＤもしくはユーザＩＤ等と、調停管理タイムテーブル３２６と、録画予約タイムテーブル３２７とを参照して比較することにより、当該要求を受け入れるか否かを決定する。なお、要求された使用時間帯がもし録画の時間帯に該当する場合には、調停処理部３２４は当該要求を拒否することを決定する。
その場合、調停処理部３２４は、後述する通知処理部３２５を介して、要求元の機器へ要求を受け付けられない旨のメッセージを通知（表示）させることが望ましい。なお、録画中の選択チャネルと同じチャネルでの放送番組データの送信（視聴）を要求している場合には、当該要求を許可するようにしてもよい。
【００６５】
また、現在の時刻が調停管理タイムテーブル３２６における時間帯の切替り時点になった場合、上記調停処理部３２４は、調停管理タイムテーブル３２６を参照することにより、資源を現在使用中の機器から当該資源を解放させるべきか否かを決定する。なお、資源の解放により当該機器への放送番組データの送信状態を切断する際には、調停処理部３２４は、後述する通知処理部３２５を介して、視聴中の機器へ送信状態を切断する旨のメッセージを通知（表示）させることが望ましい。また、他の機器から資源の使用要求がなければ、すぐに資源を現在使用中の機器から当該資源を解放するのではなく、他の機器からの資源の使用要求があってはじめて解放するようにしてもよい。また、放送番組データを受信中（視聴中）の機器から資源を解放する場合には、その機器への放送番組データの送信状態を切断することなく、次に資源を使用する機器が選択しているチャネルに単純に切り替えるようにしてもよい。その場合、調停処理部３２４は、後述する通知処理部３２５を介して、チャネルを切り替える旨のメッセージを視聴中の機器へ通知（表示）させることが望ましい。
【００６６】
通知処理部３２５は、上記調停処理部３２４による調停の結果、１）資源の使用要求を拒否するとき、２）視聴中の機器への送信状態を切断するとき、３）視聴中の機器へ送信している放送番組データのチャネルを切り替えるとき等においては、予め用意されたその旨のメッセージを該当する機器へ送り、その機器の画面上に表示させる。上記３つの場合の表示例を、それぞれ図１０の（ａ）〜（ｃ）に示す。
【００６７】
なお、通知の対象となる機器がパーソナルコンピュータ１０３〜１０５のいずれかである場合、通知処理部３２５は、図２中のＣＰＵ部３１からＰＣＩバス２０、通信部４１を経由して、メッセージを該当するパーソナルコンピュータへ送信する。これにより、パーソナルコンピュータ側では、受信したメッセージを画面上に表示する。
【００６８】
一方、対象となる機器がリモコンユニット２００である場合、通知処理部３２５は、図２中のＣＰＵ部３１からＰＣＩバス２０、ＰＣＩバスインターフェース２１７、ＭＰＥＧ２デコーダ２１８を経由して、メッセージを示す画像をビデオ出力端子３０５からテレビ受像機１０２へ表示出力する。なお、リモコンユニット２００に操作により入力される情報も、同様な経路でテレビ受像機１０２へ表示出力されることになる。
【００６９】
一方、図５は、ワイヤレスＡＶステーション１０１による資源制御を実現する第２の構成（対象となる資源が２つとなる変形例）を示している。
【００７０】
ワイヤレスＡＶステーション１０１は、前述の資源Ａに加え、同じチューナに相当する資源Ｂを更に有する。資源Ａ及びＢに対する使用要求が可能な機器としては、図４の場合と同様、端末機器１，２，…と入力装置１０とがある。
【００７１】
図５の構成においては、資源制御部３２が資源Ａに関して行う制御は、図４の場合と同様に時間帯に応じた切り替え制御を行う。
【００７２】
なお、資源Ｂに関しては、資源Ａの場合と同様に時間帯に応じた切り替え制御を行うようにしてもよいし、使用を要求する機器に特に制限を与えずに一番先に資源Ｂへのアクセス要求を行った機器からの使用要求を受け入れるようにしてもよい。
【００７３】
図７は、資源制御部３２が参照する調停管理タイムテーブル３２６に記述される情報の一例を示す図である。
【００７４】
なお、資源制御部３２は、予め録画予約された放送番組データが存在する場合、予約された時間帯においては、調停管理タイムテーブル３２６の内容にかかわらず、資源が録画処理のために最優先で使用されるよう制御する。
【００７５】
調停管理タイムテーブルは、基本的には、１日における時間帯毎に、切り替え対象の機器もしくはユーザが定義される。この場合、毎日同じ切り替え制御が行われるように定義してもよいし、曜日ごとに異なる切り替え制御が行われるように定義してもよい。また、平日における切り替え制御と土日祝日における切り替え制御とが異なるように定義してもよい。
【００７６】
図７の調停管理タイムテーブルにおいては、使用要求を拒否もしくは受け入れるべき機器が時間帯ごとに定義されている。なお、使用要求が特に拒否されない機器が複数ある場合には、これら複数の機器のうち、一番先に使用要求を行った機器からの使用要求を受け入れるものとする。
【００７７】
この調停管理タイムテーブルには、例えば次のようなことが定義される。
【００７８】
ｉ）ある時間帯においては、使用要求を一番先に行った機器もしくはユーザからの使用要求を受け入れる（制限なし）。
【００７９】
ｉｉ）ある時間帯においては、ネットワークに接続される端末装置からの資源（資源Ａのみ、もしくは資源ＡとＢの両方）に対する使用要求を拒否（接続拒否）する。
【００８０】
ｉｉｉ）ある時間帯においては、付属の入力装置からの資源（資源Ａのみ、もしくは資源ＡとＢの両方）に対する使用要求を拒否（接続拒否）する。
【００８１】
ｉｖ）ある時間帯においては、ある資源（例えば資源Ａのみ）に関し、特定のユーザもしくは特定の機器（付属の入力装置、もしくはネットワークに接続される端末装置）からの使用要求のみを受け入れる。なお、特定のユーザからの使用要求を受け入れるときには、ユーザ認証を行うことが望ましい。
【００８２】
ｖ）ある時間帯においては、特定の機器もしくは特定のユーザからの資源Ａに対する使用要求を受け入れ（接続確保し）、資源Ｂに対する使用要求については、当該使用要求を一番先に行った機器もしくはユーザからの使用要求を受け入れる。
【００８３】
なお、調停管理タイムテーブル上の情報の書き替えを行えるユーザを予め登録しておき、該当するユーザがある時間帯においてネットワーク上の機器もしくは入力機器を使って調停管理タイムテーブルの書き替えを要求してきたときには、ユーザ認証を実行することにより正当なユーザであることを確認した後に、当該書き替えを許可する。
【００８４】
このほか、資源に対する使用要求の拒否もしくは受け入れを時間帯に応じて切り替えて実行する第１の制御と、当該使用要求を一番先に行った機器もしくはユーザからの使用要求を受け入れる第２の制御とを選択的に切り替えられるようにしてもよい。
【００８５】
図１１は、図４の構成の資源制御で起こり得る複数の接続形態を示している。
【００８６】
図１１（ａ）は、ある時間帯において、ネットワークに接続される端末装置１，２，…からの資源Ａに対する使用要求を拒否（接続拒否）する形態を示している。この場合、付属の入力装置１０は、資源Ａを使用することができる。
【００８７】
図１１（ｂ）は、ある時間帯において、資源Ａに関し、特定の端末装置１もしくは特定のユーザからの使用要求のみを受け入れる形態を示している。
【００８８】
図１１（ｃ）は、ある時間帯において、付属の入力装置１０からの資源Ａに対する使用要求を拒否（接続拒否）する形態を示している。この場合、端末装置１，２，…のいずれか１つが資源Ａに使用することができる。
【００８９】
図１１（ｄ）は、ある時間帯において、使用要求を一番先に行った機器もしくはユーザからの使用要求を受け入れる形態（制限なし）を示している。
【００９０】
図１２は、図５の構成の資源制御で起こり得る複数の接続形態を示している。
【００９１】
図１２（ａ）は、ある時間帯において、ネットワークに接続される端末装置１，２，…からの資源Ａに対する使用要求を拒否（接続拒否）する形態を示している。この場合、付属の入力装置１０は、資源Ａを使用することができる。なお、資源Ｂに関しては、使用要求を一番先に行った機器もしくはユーザが使用することができる。
【００９２】
図１２（ｂ）は、ある時間帯において、資源Ａに関し、特定の端末装置１もしくは特定のユーザからの使用要求のみを受け入れる形態を示している。なお、資源Ｂに関しては、使用要求を一番先に行った機器もしくはユーザが使用することができる。
【００９３】
図１２（ｃ）は、ある時間帯において、付属の入力装置１０からの資源Ａに対する使用要求を拒否（接続拒否）する形態を示している。この場合、端末装置１，２，…のいずれか１つが資源Ａを使用することができる。なお、資源Ｂに関しては、使用要求を一番先に行った機器もしくはユーザが使用することができる。
【００９４】
図１２（ｄ）は、ある時間帯において、資源Ａ及び資源Ｂのいずれに関しても、使用要求を一番先に行った機器もしくはユーザからの使用要求を受け入れる形態（制限なし）を示している。
【００９５】
ところで、資源制御部３２は、資源の使用要求に応じた第１の制御動作と、調停管理タイムテーブル３２６上の時間帯の切替り時点に応じた第２の制御動作とを、両方とも実行する。
【００９６】
まず、図１３を参照して、ワイヤレスＡＶステーション１０１の資源制御部３２による第１の制御動作を説明する。
【００９７】
資源制御部３２は、資源であるＴＶチューナの使用要求（放送番組データの送信要求、録画要求、チャネル切替要求など）があるか否かについて監視する（ステップＡ１）。
【００９８】
ここで、いずれも機器からもＴＶチューナの使用要求がなければ（ステップＡ２のＹｅｓ）、ステップＡ１での監視を続ける。一方、ある機器からＴＶチューナの使用要求があれば（ステップＡ２のＹｅｓ）、その要求元である機器もしくはそのユーザに対する認証処理を行う（ステップＡ３）。
【００９９】
その認証の結果、要求元が正当なものであることが確認されなければ（ステップＡ４のＮｏ）、当該要求には応じられない旨のメッセージを要求元へ送り（ステップＡ８）、ステップＡ１からの処理を繰り返す。一方、認証の結果、要求元が正当なものであることが確認されたならば（ステップＡ４のＹｅｓ）、現在のＴＶチューナの使用状況（ＴＶチューナが使用されていない状態か等）を確認するとともに（ステップＡ５）、要求された使用時間帯及び機器ＩＤもしくはユーザＩＤ等と、調停管理タイムテーブル３２６と、録画予約タイムテーブル３２７とを参照して比較することにより、当該要求を受け入れるか否かを決定する（ステップＡ６）。
【０１００】
ここで、要求された使用時間帯が録画の時間帯に該当するような場合や、調停管理タイムテーブル３２６により拒否すべき機器とされているような場合は、当該機器にはＴＶチューナの使用を許可できないと判定される（ステップＡ７のＮｏ）。そのような場合、当該要求には応じられない旨のメッセージを要求元へ送り（ステップＡ８）、ステップＡ１からの処理を繰り返す。一方、当該機器にＴＶチューナの使用を許可できると判定された場合（ステップＡ７のＹｅｓ）、要求された時間帯での使用を要求元に許可し（ステップＡ９）、ステップＡ１からの処理を繰り返す。
【０１０１】
次に、図１４を参照して、ワイヤレスＡＶステーション１０１の資源制御部３２による第２の制御動作を説明する。
【０１０２】
資源制御部３２は、現在の時刻が調停管理タイムテーブル３２６における時間帯の切替り時点になったか否かを監視する（ステップＢ１）。
【０１０３】
資源制御部３２は、現在の時刻が時間帯の切替り時点になるまで待機し（ステップＢ２のＮｏ）、時間帯の切替り時点になったとき（ステップＢ２のＹｅｓ）、調停管理タイムテーブル３２６を参照し、ＴＶチューナを使用中の機器から当該ＴＶチューナを解放させる必要があるか否かを確認する（ステップＢ３）。
【０１０４】
ここで、他の機器からのＴＶチューナの使用要求が無いなどの理由により、ＴＶチューナの解放は必要なしと判定された場合（ステップＢ４のＮｏ）、解放をせず、ステップＢ１からの処理を繰り返す。
【０１０５】
一方、ＴＶチューナを使用中の機器が調停管理タイムテーブル３２６により次の時間帯において拒否すべき機器とされているような場合は、ＴＶチューナの解放が必要と判定される（ステップＢ４のＹｅｓ）。そのような場合、ＴＶチューナを使用中の機器から解放し、その旨のメッセージを当該機器へ送り（ステップＢ５）、ステップＢ１からの処理を繰り返す。
【０１０６】
このように本実施形態によれば、時間帯に応じた切り替え制御を行うことにより、個々の機器やユーザからのアクセス要求を効率的に処理でき、また、個別にアクセスの許可や拒否を制御することができる。
【０１０７】
また、複数の資源を設けた場合にも、個々の機器やユーザからのアクセス要求を効率的に処理でき、また、個別にアクセスの許可や拒否を制御することができる。
【０１０８】
なお、本発明は、上述した実施形態に限定されるものではなく、その要旨を逸脱しない範囲内で種々変形して実施することが可能である。
【０１０９】
【発明の効果】
以上詳記したように本発明によれば、複数の機器が資源を有効に使用することのできる。
【図面の簡単な説明】
【図１】本発明の一実施形態に係る情報処理装置を用いたホームネットワークシステムの構成を示す図。
【図２】ワイヤレスＡＶステーションの構成を示す図。
【図３】クライアントとして機能する各情報処理装置の構成を示す図。
【図４】ワイヤレスＡＶステーションによる資源制御を実現する第１の構成を示すブロック図。
【図５】ワイヤレスＡＶステーションによる資源制御を実現する第２の構成を示すブロック図。
【図６】資源制御部の機能構成を示すブロック図。
【図７】資源制御部が参照する調停管理タイムテーブルに記述される情報の一例を示す図。
【図８】資源制御部が参照する録画予約タイムテーブルに記述される情報の一例を示す図。
【図９】ユーザ認証画面の一例を示す図。
【図１０】資源に対する使用要求を拒否するときの画面の例を示す図。
【図１１】図４の構成の資源制御で起こり得る複数の接続形態を示す図。
【図１２】図５の構成の資源制御で起こり得る複数の接続形態を示す図。
【図１３】ワイヤレスＡＶステーションの資源制御部による第１の制御動作を示すフローチャート。
【図１４】ワイヤレスＡＶステーションの資源制御部による第２の制御動作を示すフローチャート。
【符号の説明】１，２…端末装置、１０…入力装置、１１…ＴＶ放送受信アンテナ、１２…インターネット、１３…通信回線、２０…ＰＣＩバス、２１…チューナ／ＭＰＥＧ部、３１…ＣＰＵ部、３２…資源制御部、４１…通信部、５１…磁気ディスクドライブ装置、６２…Ｉ／Ｏコントローラ、７１…ＰＣＩバス、７２…ＩＳＡバス、８１…ＣＰＵ、８２…ホストブリッジ、８３…主メモリ、８４…表示コントローラ、８５…サウンドコントローラ、８６…ＬＡＮコントローラ、８７…ワイヤレスＬＡＮデバイス、８８…システムコントローラ、８９…キーボードコントローラ、９０…ディスプレイモニタ（ＤＳＰ）、９１…ＣＤ／ＤＶＤドライブ、９２…ＨＤＤ、９３…キーボード、９４…マウス、９５…ＬＡＮコネクタ、９６…アンテナ、１０１…ワイヤレスＡＶステーション、１０２…ＴＶ受像機、１０３〜１０５…パーソナルコンピュータ、２００…リモコンユニット、３２１…時間監視部、３２２…要求監視部、３２３…認証処理部、３２４…調停処理部、３２５…通知処理部、３２６…調停管理タイムテーブル、３２７…録画予約タイムテーブル、７０９…表示コントローラ、７１０…表示パネル（ＤＳＰ）。
【図１】
2004274159.tif 000003
【図２】
2004274159.tif 000004
【図３】
2004274159.tif 000005
【図４】
2004274159.tif 000006
【図５】
2004274159.tif 000007
【図６】
2004274159.tif 000008
【図７】
2004274159.tif 000009
【図８】
2004274159.tif 000010
【図９】
2004274159.tif 000011
【図１０】
2004274159.tif 000012
【図１１】
2004274159.tif 000013
【図１２】
2004274159.tif 000014
【図１３】
2004274159.tif 000015
【図１４】
2004274159.tif 000016